(57)【要約】【課題】      釣り糸結び具を確実に握持しながら釣り糸を結ぶ作業ができる釣り糸結び具を提供することである。【解決手段】  釣り糸結び具１は、筒状に形成された収納体２とこの収納体２の先端部から出没する鈎部４ｂとこの鈎部４ｂの出没操作を行うための操作体５を有している。  収納体２は、握持部２Ａと前方側に突出する管状のノズル３を有し、操作体５を前方にスライドさせると鈎部材４の先端の鈎部４ｂがノズル３の先端の開口部３ａから突出し、操作体５から手を放すと付勢体６によって鈎部材４が後方に移動し鈎部４ｂがノズル３の内側の空間Ｋ内に収納される。【選択図】        図１
2007202455.tif 000002
【特許請求の範囲】
【請求項１】
収納体と該収納体の長手方向にスライドする操作体と該操作体のスライド操作に連動して前記収納体の先端部から出没する鈎部を有することを特徴とする釣り糸結び具。
【請求項２】
鈎部はその先端が操作体側に屈曲していることを特徴とする請求項１記載の釣り糸結び具。
【発明の詳細な説明】
【技術分野】
【０００１】
本発明は、釣り糸にちち輪等をつくるための釣り糸結び具に関する。
【背景技術】
【０００２】
従来から特許文献１のように、外管に鈎部を有する伸縮棒を挿通し、外管の後端部の押圧部を押圧して外管の先端から鈎部が出没するようにした釣り糸結束具が紹介されている。
この釣り糸結束具は、その外管を握持し外管の先端から鈎部を出没させながら釣り糸の結束作業を行うこととなる。
しかし、この釣り糸結束具は、鈎部を出没させる押圧部が握持する外管の後端部に設けられているため、外管の先端側に親指と人差し指を当てて握持した手で押圧部を押圧することは困難である。
また、外管を握持した手の握持状体を緩めてその手のひらで押圧することや、外管を握持した手を握り替えて押圧部を押圧することも考えられるが、釣り糸を結ぶ間に釣り糸結束具の握持状体が不安定となるため、結び損ねが発生したり、誤って釣り糸結束具を落としたりするなど、釣り糸を結束する作業が煩雑になっていた。
【特許文献１】特開２００３−６１５２８
【発明の開示】
【発明が解決しようとする課題】
【０００３】
解決しようとする問題点は、特許文献１のように、釣り糸結束具で釣り糸を結ぶ時に、釣り糸結束具の握持状体が不安定となるため、釣り糸を結束する作業が煩雑になることである。
【０００４】
本発明の目的は上記欠点に鑑み、釣り糸結び具を確実に握持しながら釣り糸を結ぶ作業ができる釣り糸結び具を提供することである。
【課題を解決するための手段】
【０００５】
本発明の請求項１は、収納体と該収納体の長手方向にスライドする操作体と該操作体のスライド操作に連動して前記収納体の先端部から出没する鈎部を有することを要旨とするものである。
本発明の請求項２は、鈎部はその先端が操作体側に屈曲していることを要旨とするものである。
【発明の効果】
【０００６】
本発明により、釣り糸結び具を確実に握持しながら容易に釣り糸を結ぶ作業ができる。
【発明を実施するための最良の形態】
【０００７】
以下、図示の実施例によって本発明を説明すると、図１から図７が本発明の釣り糸結び具で、図１は釣り糸結び具の断面図、図２は鈎部が突出した釣り糸結び具の断面図、図３は釣り糸を結ぶ過程で釣り糸を掛けた状態の部分断面図、図４は釣り糸を結ぶ過程で釣り糸を捻る状態の部分断面図、図５は釣り糸を結ぶ過程で釣り糸に鈎部を掛ける状態の部分断面図、図６は釣り糸を結ぶ過程で釣り糸に結びを作る状態の部分断面図、図７は釣り糸を結ぶ過程で釣り糸に鈎部を掛ける状態を正面から見た図である。
【０００８】
釣り糸結び具１は、図１、図２のように、筒状に形成された収納体２とこの収納体２の先端部から出没する鈎部４ｂとこの鈎部４ｂの出没操作を行うための操作体５を有している。
【０００９】
収納体２は、握持部２Ａと握持部２Ａの前方側に突出するように取り付けられた管状のノズル３を有し、収納体２の内側部２Ｎは握持部２Ａからノズル３に連通し、収納体２の長手方向に延びる通路状の空間Ｋが形成されている。
【００１０】
握持部２Ａは、釣り糸結び具１を使って釣り糸を結ぶ時に握持する部分で、管状のノズル３より太径に形成され、前方部２ａと後方部２ｂが接続されて形成されている。
なお、後方部２ｂには衣服のポケット等に差し込んで取り付けが出来るように係止具８が形成されている。
【００１１】
ノズル３は、円筒状に形成され、握持部２Ａの前端に差し込まれて止着され、握持部２Ａの前方側に突出している。
ノズル３の先端に握持部２Ａからノズル３に通じる通路状の空間Ｋの開口部３ａが形成されている。
【００１２】
収納体２の内側部２Ｎの空間Ｋには収納体２の長手方向に延びる鈎部材４が収納体２の長手方向（前後方向）に移動可能に挿通されている。
【００１３】
鈎部材４は、先端に屈曲状の鈎部４ｂが形成された収納体２の長手方向に延びる棒状の軸部４ａからなり、鈎部４ｂは、軸部４ａの先端が折り返され後方側に向けて屈曲し、鈎部４ｂの先端は先細になるように形成されている。
【００１４】
鈎部材４には、その長手方向の中央側に操作体５が取り付けられている。
操作体５は、収納体２の握持部２Ａの前方部２ａに形成された孔２ｄを介して収納体２の外側部２Ｇ側に指当て部５ａが突出している。
孔２ｄは、収納体２の長手方向に延設された長孔で、収納体２の指当て部５ａは、この孔２ｄに案内されて、止着された鈎部材４と共に収納体２の外側部２Ｇに沿って長手方向にスライドするように移動可能となっている。
また、この孔２ｄの周縁には溝部２ｃが形成され、指当て部５ａがこの溝部２ｃ内でスライドすることでその移動を良好にし、スライド操作中に指を挟むことが防止されている。
【００１５】
鈎部材４は、コイル状のバネからなる付勢体６によって収納体２の内側部２Ｎの空間Ｋにて収納体２の長手方向後方側にその付勢体６の弾性によって押圧するように付勢されている。
【００１６】
コイル状のバネからなる付勢体６はその中央部に鈎部材４の軸部４ａが挿通されることで、軸部４ａに取り付けられており、鈎部材４の軸部４ａの後端に取り付けられた抜け止め４ｃに付勢体６の後端部が当接することで付勢体６の軸部４ａの後端側への移動および脱落が防止されている。
【００１７】
また、収納体２の握持部２Ａの前方部２ａと後方部２ｂの間には、ストッパ７が取り付けられている。
ストッパ７は、その中央に挿通孔７ａが形成され、この挿通孔７ａに鈎部材４の軸部４ａが挿通孔７ａに沿って移動可能に挿通され、また、その後端側にコイル状のバネからなる付勢体６の前端部が当接することで付勢体６の前端側への移動が規制されていると共に、ストッパ７に付勢体６が当接することで付勢体６の後端部が抜け止め４ｃと共に抜け止め４ｃを取り付けた鈎部材４を後端側へ押圧付勢する。
【００１８】
釣り糸結び具１は、握持部２Ａを握持して、操作体５の指当て部５ａを付勢体６の後端側へ押圧付勢力に抗して前方にスライドさせると、操作体５が孔２ｄの前端に当接して移動が規制される。
この時、操作体５の移動に連動して操作体５を設けた鈎部材４が収納体２の内側部２Ｎの空間Ｋ内を前方に移動し、鈎部材４の先端の鈎部４ｂがノズル３の先端の開口部３ａから突出する。
【００１９】
鈎部材４は、操作体５が孔２ｄに挿通されているため長手方向軸の周方向に回り止めされている。
したがって、鈎部材４の先端の鈎部４ｂは、軸部４ａの先端が折り返され後方側の操作体５の指当て部５ａに向けて屈曲した状態が維持されており、ノズル３の先端の開口部３ａから突出した時も鈎部４ｂは、操作体５の指当て部５ａに向けて屈曲した状態となっている。
【００２０】
また、操作体５の指当て部５ａから指を離して、操作体５の指当て部５ａを前方に移動させた状態を解除すると、鈎部材４に対する付勢体６の後端側への押圧付勢力によって操作体５と共に鈎部材４が後方に移動し鈎部材４の先端の鈎部４ｂがノズル３の先端の開口部３ａに引き込まれてノズル３の内側の空間Ｋ内に収納される。
鈎部材４はその後端部が握持部２Ａ内側の空間Ｋの後端部に当接し後方への移動が規制され、付勢体６の付勢力によって空間Ｋの後端部に押圧された状態が維持される。
【００２１】
釣り糸結び具１を使用する時は、図３から図６に示す。
まず、図１のように、釣り糸Ｔを本線Ｔ１、折返し線Ｔ２の２つ折りにし、その途中にループＴ４を形成して一方の手で摘み、このループＴ４を他方の手で握持した釣り糸結び具１のノズル３の外側部に掛ける。
この時ループＴ４は２重のループとなっている。
【００２２】
次に、図４のように、ループＴ４に差し込んだノズル３を矢印Ｙのように回してループＴ４に捻りを加えて捻り部Ｔ５を作る。
この時、ノズル３は握持部Ａより細形であるため確実に握持しながらノズル３を容易に回すことができ、ノズル３の外側面が滑面状に形成されているため釣り糸への傷付きが防止されている。
なお、釣り糸の太さによってループＴ４に１回から７回程度捻りを加える。
【００２３】
次に、図５のように、捻り部Ｔ５が解けないように押さえながら、釣り糸結び具１の握持部Ａを握持しながら、握持部Ａに配した操作体５の指当て部５ａに親指を当てて操作体５の指当て部５ａを前方に押圧してスライドさせる。
この時、親指を動かしても、他の指は動かさないで握持部Ａの握持状体を維持できる。
【００２４】
そして、操作体５の指当て部５ａを収納体２の前方に押圧してスライドさせると鈎部材４の先端の鈎部４ｂがノズル３の先端の開口部３ａから突出するため、この鈎部４ｂに釣り糸Ｔの２つ折りにしたループ状の折返し部Ｔ３を掛ける。
【００２５】
この時、鈎部４ｂはスライド操作を行う操作体５の指当て部５ａの方向に屈曲し、釣り糸結び具１を握持した時に指当て部５ａと屈曲した鈎部４ｂの先端側が共に作業者の方向を向くため、作業者は図７のように釣り糸結び具１と釣り糸Ｔを見ながら作業を行うこととなる。
したがって、作業者は、作業を行っている手元にて指当て部５ａと鈎部４ｂを正面に見ることができ、指当て部５ａと鈎部４ｂの位置や屈曲方向を共に確認しながら操作体５のスライド操作と鈎部４ｂへの折返し部Ｔ３の引っ掛け操作を行うことができてその操作が確実に行える。
【００２６】
次に、操作体５の指当て部５ａから指を離すか、又は緩めて操作体５の指当て部５ａを前方に移動させた状態を解除すると、鈎部材４に対する付勢体６の後端側への押圧付勢力によって操作体５と共に鈎部材４が後方に移動し鈎部材４の先端の鈎部４ｂがノズル３の先端の開口部３ａに引き込まれてノズル３の内側の空間Ｋ内に収納され、鈎部４ｂに掛けた釣り糸Ｔの折返し部Ｔ３はこの鈎部４ｂと共に開口部３ａに引き込まれてノズル３の内側の空間Ｋ内に収納される。
この時に、鈎部４ｂが全て開口部３ａに引き込まれてノズル３の内側の空間Ｋ内に収納されるため不用意に折返し部Ｔ３が鈎部４ｂから外れることが防止されている。
【００２７】
さらに、図６のように、折返し部Ｔ３を鈎部４ｂに掛けたままで釣り糸Ｔを開口部３ａの前方側に引くとノズル３からループＴ４が外れて折返し部Ｔ３がループＴ４の中を潜り、さらに引くと、ループＴ４は捻り部Ｔ５と共に締め付けられながらまとまって結びこぶＴ５’が形成される。
【００２８】
この後、再び操作体５の指当て部５ａを収納体２の前方に押圧してスライドさせて鈎部材４の先端の鈎部４ｂをノズル３の先端の開口部３ａから突出させて鈎部４ｂから折返し部Ｔ３を外すと釣り糸Ｔに折返し部Ｔ３がループ状になったちち輪を８の字結びで作ることができる。
【００２９】
なお、鈎部４ｂは軸部４ａの先端が折り返され後方側に向けて湾曲状に屈曲し、鈎部４ｂの先端は先細になるように形成したがこれに限定されるものではなく釣り糸が係止できるものであれば他の形状にしてもよい。
【産業上の利用可能性】
【００３０】
本発明は釣り糸結び具全般に利用できる。
【図面の簡単な説明】
【００３１】
【図１】釣り糸結び具の断面図である。
【図２】鈎部が突出した釣り糸結び具の断面図である。
【図３】釣り糸を結ぶ過程で釣り糸を掛けた状態の部分断面図である。
【図４】釣り糸を結ぶ過程で釣り糸を捻る状態の部分断面図である。
【図５】釣り糸を結ぶ過程で釣り糸に鈎部を掛ける状態の部分断面図である。
【図６】釣り糸を結ぶ過程で釣り糸に結びを作る状態の部分断面図である。
【図７】釣り糸を結ぶ過程で釣り糸に鈎部を掛ける状態を正面から見た図である。
【符号の説明】
【００３２】
１  釣り糸結び具
２  収納体
３  ノズル
４  鈎部材
５  操作体
６  付勢体
Ｔ  釣り糸
【図１】
2007202455.tif 000003
【図２】
2007202455.tif 000004
【図３】
2007202455.tif 000005
【図４】
2007202455.tif 000006
【図５】
2007202455.tif 000007
【図６】
2007202455.tif 000008
【図７】
2007202455.tif 000009